(57)【特許請求の範囲】
【請求項１】
所定の間隔を空けて相互に隣接する第１ブランケット胴と第２ブランケット胴の内の前記第１ブランケット胴のギャップ内に、メタルバックブランケットの咥え側端部と咥え尻側端部とを押し込むのに使用される、オフセット印刷機の押込工具であって、
一端側の外周面と他端側の外周面とに、互いに逆方向にネジが切られた軸部材と、
前記軸部材の前記一端側の外周面と前記他端側の外周面とにそれぞれ螺合された第１可動部材と第２可動部材とを有し、
前記第１可動部材が、前記ギャップ内に前記咥え側端部と前記咥え尻側端部とを押し込む押込部材として機能し、
前記第２可動部材が、前記第２ブランケット胴に支持される支持部材として機能する
ことを特徴とする、オフセット印刷機の押込工具。
【請求項２】
前記押込部材の外側面には、対面する前記第１ブランケット胴の部位が挿入される凹所が形成された
ことを特徴とする、請求項１記載のオフセット印刷機の押込工具。
【請求項３】
前記押込部材の前記凹所の曲率が、前記第１ブランケット胴の外周面の曲率以下に設定された
ことを特徴とする、請求項２記載のオフセット印刷機の押込工具。
【請求項４】
前記支持部材の外側面には、対面する前記第２ブランケット胴の部位が挿入される凹所が形成された
ことを特徴とする、請求項１〜３の何れか１項に記載のオフセット印刷機の押込工具。
【請求項５】
前記支持部材の前記凹所の曲率が、前記第２ブランケット胴の外周面の曲率以下に設定された
ことを特徴とする、請求項４記載のオフセット印刷機の押込工具。
【請求項６】
前記軸部材の中央には把持部が設けられた
ことを特徴とする、請求項１〜５の何れか一項に記載のオフセット印刷機の押込工具。
【請求項７】
前記押込部材の少なくとも前記外側面が、樹脂又は弾性体により構成された
ことを特徴とする、請求項２又は請求項２を引用する請求項３〜６の何れか一項に記載の押込工具。
【請求項８】
前記支持部材の少なくとも前記外側面が、樹脂又は弾性体により構成された
ことを特徴とする、請求項４又は請求項４を引用する請求項５〜７の何れか一項に記載の押込工具。
【請求項９】
前記ネジが台形ネジである
ことを特徴とする、請求項１〜８の何れか一項に記載の押込工具。
【請求項１０】
前記押込部材と前記支持部材とが同一形状に形成された
ことを特徴とする、請求項１〜９の何れか一項に記載の押込工具。
【請求項１１】
所定の間隔を空けて相互に隣接する第１ブランケット胴と第２ブランケット胴との内の前記第１ブランケット胴にメタルバックブランケットを装着する、オフセット印刷機のブランケット装着方法であって、
前記第１ブランケット胴のギャップ内に、前記メタルバックブランケットの咥え側端部を挿入する、挿入ステップと、
前記ギャップ内に前記メタルバックブランケットの咥え側端部を挿入した状態で前記第１ブランケット胴を回転させることで、前記メタルバックブランケットの咥え尻側端部が前記ギャップ内に挿入可能な位置になるまで、前記第１ブランケット胴の外周面に前記メタルバックブランケットを巻回する、卷回ステップと、
前記咥え尻側端部を前記ギャップ内に押し込む、押込ステップと、
前記咥え側端部と前記咥え尻側端部とを前記ギャップ内に押し込んだ状態で前記メタルバックブランケットを前記第１ブランケット胴に固定する、固定ステップとを備え、
前記押込ステップにおいて、前記第１ブランケット胴と前記第２ブランケット胴との相互間に、請求項１〜１０の何れか一項に記載された押込工具を、前記押込部材が前記咥え側端部及び前記咥え尻側端部に対面すると共に前記支持部材が前記第２ブランケット胴の外周面に対面するように配置してから、前記軸部材を回転させて伸長させることで、前記支持部材により、前記押込工具を前記第２ブランケット胴に支持させつつ、前記押込部材により、前記咥え尻側端部を前記ギャップ内に押し込み、
前記固定ステップにおいて、前記押込工具により、前記咥え側端部と前記咥え尻側端部とを前記ギャップ内に押し込んだ状態を保持する
ことを特徴とする、オフセット印刷機のブランケット装着方法。
【請求項１２】
前記卷回ステップにおいて、前記メタルバックブランケットを、押さえ工具により前記第１ブランケット胴に押さえ付けると共に、前記押さえ工具により押さえ付ける位置よりも前記咥え尻側端部側で、固定支持具により前記メタルバックブランケットを支持させることを特徴とする、請求項１１記載のオフセット印刷機のブランケット装着方法。
【請求項１３】
版胴を配置されず圧胴として機能する圧胴用ブランケット胴が、前記第１ブランケット胴に圧接され、前記固定ステップにおいて、前記第１ブランケット胴の回転を規制する
ことを特徴とする、請求項１１又は１２記載のオフセット印刷機のブランケット装着方法。
【請求項１４】
前記第１ブランケット胴には、前記メタルバックブランケットが卷回される領域よりも軸方向外方に孔部が穿設され、
前記第１ブランケット胴と、前記第１ブランケット胴に対向配置された版胴との相互間に安全バーが配置され、
一端に載置部を備えると共に他端に棒状部材とを備えて構成された規制工具の前記載置部を構造体に載置させ、且つ、前記棒状部材の先端を前記孔部に挿入して、前記安全バーに当接させるように前記オフセット印刷機に取り付けることで、前記第１ブランケット胴の回転を規制する
ことを特徴とする、請求項１３記載のオフセット印刷機のブランケット装着方法。
【発明の詳細な説明】
【技術分野】
【０００１】
本発明は、オフセット印刷機において、ブランケット胴にメタルバックブランケットを装着するための押込工具、及びそれを使用したブランケット装着方法に関する。
【背景技術】
【０００２】
新聞用オフセット輪転印刷機に代表されるオフセット印刷機では、ブランケット胴に卷回されたブランケットと、版胴に卷回された刷版とは、その消耗に応じて適宜新しいものに装着しなおされる（交換される）。
このようなブランケットや刷版の交換に関連する技術として特許文献１及びに特許文献２に開示された技術がある。以下、特許文献１及びに特許文献２に開示された技術を説明するが、その説明では、参考に、特許文献１及び特許文献２で使用されている符号を括弧付きで示す。
【０００３】
特許文献１（フロント頁，段落［００１７］及び図１など参照）には、ブランケット（０２）を交換する際に、ブランケット（０２）を胴（０１）に押し付けるための装置が開示されている。この装置は、ローラ（０３）と、ローラ（０３）を保持するローラ保持体（０６）と、調節手段（０４）とを備えて構成されている。調節手段（０４）は、ホースのような中空体であり、調節手段（０４）を圧力媒体で負荷（加圧）すると、ローラ保持体（０６）を介してローラ（０３）を胴（０１）に向けて加圧することができ、これによりブランケット（０２）を胴（０１）に押し付けることができる。
【０００４】
特許文献２（フロント頁，段落［００４８］−［００５０］及び図１など参照）には、版替え等の作業時に版胴（１５）やブランケット胴（１７）に手が巻き込まれることを防止する安全バー機構（３７）と、版替え作業の際に、刷版を、版胴（１５）の表面に押圧して版胴（１５）の周囲に密着して取り付ける版押えロール（３９）とを一体化した印刷機が開示されている。
【先行技術文献】
【特許文献】
【０００５】
【特許文献１】特表２００３−５３３３７７号公報
【特許文献２】特開２００６−１６７９２２号公報
【発明の概要】
【発明が解決しようとする課題】
【０００６】
ところで、オフセット印刷機で使用されるブランケットには、メタルバックブランケットと呼ばれるタイプのものがある。メタルバックブランケットは、ブランケット胴に巻回された状態において、その内周側となる薄いメタル層と、その外周側となるブランケット層（ゴム層）とを積層して構成されている。
【０００７】
従来は、版胴やブランケット胴には、周長が新聞紙２頁分となる倍胴が使用されていたが、近年、オフセット印刷機では装置コストの低減が求められているため、版胴やブランケット胴の小サイズ化が図られており、版胴やブランケット胴に、周長が新聞紙１頁分となる単胴のような小サイズのものが使用されることがある。
版胴やブランケット胴に単胴を使用する場合において、倍胴を使用する場合と同一の印刷速度（換言すれば印刷物の生産性）を維持するためには、版胴やブランケット胴の単位時間当たりの回転数を増加する必要がある。そして、版胴やブランケット胴が小サイズ化されて軽量になるほど、回転数の増加の影響を受けやすく、剛性低下の影響を受けやすくなる。版胴やブランケット胴の周面には、卷回された刷版やブランケットの両端（咥え側端部及び咥え尻側端部）を挿入して固定するためにギャップ（溝）が設けられる。小サイズの版胴やブランケット胴では、回転数の増加の影響や剛性低下の影響を抑制するためにギャップは小さく形成される。
【０００８】
上記のメタルバックブランケットでは、ブランケット層は、メタル層の端部側を除いてメタル層に積層されており、メタル層の両端が咥え側端部及び咥え尻側端部を構成する。つまり、咥え側端部及び咥え尻側端部は、メタル層のみで構成された薄いものとなっており、小さなギャップにも挿入できる。このため、特に、ブランケット胴に単胴を使用する場合には、メタルバックブランケットの使用が適している
【０００９】
ここで、一般的なブランケットの装着作業について説明する。ブランケットを装着するための一連の作業は、作業者が自らの手で直接ブランケットをハンドリングすることにより行われ、先ず、新しいブランケットの咥え側端部を、作業者が手で、ブランケット胴のギャップ内に挿入する。
次いで、ブランケット胴を回転させながらブランケットの周面に巻き付けていく。ブランケット胴の周面（以下、胴周面ともいう）からブランケットが浮いてしまうと、オフセット印刷機の運転中にブランケットが外れてしまうおそれがあるため、この作業では、作業者が手で適度の張力を与えつつブランケットを胴周面に押し付けながら（しごきながら）、ブランケットを胴周面に密着状態で巻き付けていく。
そして、ブランケットをブランケット胴の略全周に巻き付けた後、ブランケットの咥え尻側端部を作業者が手でギャップ内に押し込み、この状態を保持しつつ締め付け装置によりブランケットを締め付けて、ブランケットの装着が終了する。
【００１０】
しかし、ブランケットにメタルバックブランケットを使用する際には、上記の作業者が自らの手で直接ブランケットをハンドリングする装着作業には以下のような課題がある。
つまり、メタルバックブランケットはメタル層を有して重量があるため、これをハンドリングするのには作業者に大きな負担が掛かっていた。
また、メタルバックブランケットのメタル層は、金属であるため、ある程度の剛性があるので反り返りが強い。胴周面に密着させてブランケットを装着することは、胴周面の曲率にあわせてブランケットを曲げることであるから、反り返りの強いメタルバックブランケットを胴周面に密着させるためには大きな力が必要となり、作業者にとって大きな負担となっていた。
特に、（１）咥え尻側端部をギャップ内に押し込む際には大きな力が必要となり、また、（２）ブランケット胴に単胴が使用される場合には、ブランケット胴周面の曲率が大きいためブランケット胴に巻き付ける際のメタルバックブランケットの反り返ろうとする力が強い。ブランケット胴に単胴を使用した構成において、咥え尻側端部をギャップ内に押し込む際には、上記の（１）と（２）との要因が相乗的に作用し、極めて大きな力が必要となり、作業者にとって非常に大きな負担となっていた。
【００１１】
加えて、作業者は、自らの手を使ってブランケットを装着するためには、ブランケット胴のすぐ傍まで近づいたうえで作業することとなるが、ブランケット胴の周辺には空間が少ないため、不自然な姿勢での作業となることが多い上に、視認性の確保が困難なため、この点でも、ブランケットの装着作業は、作業者にとって大きな負担となっていた。
【００１２】
また、メタルバックブランケットのメタル層の剛性は、上述のとおりある程度高めではあるが、重力に抗して形状を保持できるほどには高くない。このため、メタルバックブランケットを、咥え尻端部を始点として胴周面に巻き付けていく際には、後ろ側（咥え尻側端部の側）が下方に垂れ下がって巻き付けに滞りが生じたり変形したりしてしまわないように、この後ろ側を、複数の作業者が直接手により支える必要があった。
【００１３】
本発明は、上記のような課題に鑑み創案されたもので、オフセット印刷機のブランケット装着作業において、従来よりも作業者の人数を減らすことができると共に作業者の負担を軽減することができるようにした、オフセット印刷機の押込工具及びそれを使用したオフセット印刷機のブランケット装着方法を提供することを目的とする。
【課題を解決するための手段】
【００１４】
（１）上記の目的を達成するために、本発明のオフセット印刷機の押込工具は、所定の間隔を空けて相互に隣接する第１ブランケット胴と第２ブランケット胴の内の前記第１ブランケット胴のギャップ内に、メタルバックブランケットの咥え側端部と咥え尻側端部とを押し込むのに使用される、オフセット印刷機の押込工具であって、一端側の外周面と他端側の外周面とに、互いに逆方向にネジが切られた軸部材と、前記軸部材の前記一端側の外周面と前記他端側の外周面とにそれぞれ螺合された第１可動部材と第２可動部材とを有し、前記第１可動部材が、前記ギャップ内に前記咥え側端部と前記咥え尻側端部とを押し込む押込部材として機能し、前記第２可動部材が、前記第２ブランケット胴に支持される支持部材として機能することを特徴としている。
【００１５】
（２）記押込部材の外側面には、対面する前記第１ブランケット胴の部位が挿入される凹所が形成されることが好ましい。
（３）前記押込部材の前記凹所の曲率が、前記第１ブランケット胴の外周面の曲率以下に設定されることが好ましい。
【００１６】
（４）前記支持部材の外側面には、対面する前記第２ブランケット胴の部位が挿入される凹所が形成されることが好ましい。
（５）前記支持部材の前記凹所の曲率が、前記第２ブランケット胴の外周面の曲率以下に設定されることが好ましい。
【００１７】
（６）前記軸部材の中央には把持部が設けられることが好ましい。
（７）前記押込部材の少なくとも前記外側面が、樹脂又は弾性体により構成されることが好ましい。
（８）前記支持部材の少なくとも前記外側面が、樹脂又は弾性体により構成されることが好ましい。
（９）前記ネジが台形ネジであることが好ましい。
（１０）前記押込部材と前記支持部材とが同一形状に形成されることが好ましい。
【００１８】
（１１）上記の目的を達成するために、本発明のオフセット印刷機のブランケット装着方法は、所定の間隔を空けて相互に隣接する第１ブランケット胴と第２ブランケット胴との内の前記第１ブランケット胴にメタルバックブランケットを装着する、オフセット印刷機のブランケット装着方法であって、前記第１ブランケット胴のギャップ内に、前記メタルバックブランケットの咥え側端部を挿入する、挿入ステップと、前記ギャップ内に前記メタルバックブランケットの咥え側端部を挿入した状態で前記第１ブランケット胴を回転させることで、前記メタルバックブランケットの咥え尻側端部が前記ギャップ内に挿入可能な位置になるまで、前記第１ブランケット胴の外周面に前記メタルバックブランケットを巻回する、卷回ステップと、前記咥え尻側端部を前記ギャップ内に押し込む、押込ステップと、前記咥え側端部と前記咥え尻側端部とを前記ギャップ内に押し込んだ状態で前記メタルバックブランケットを前記第１ブランケット胴に固定する、固定ステップとを備え、前記押込ステップにおいて、前記第１ブランケット胴と前記第２ブランケット胴との相互間に、（１）〜（１０）の何れか一項に記載された押込工具を、前記押込部材が前記咥え側端部及び前記咥え尻側端部に対面すると共に前記支持部材が前記第２ブランケット胴の外周面に対面するように配置してから、前記軸部材を回転させて伸長させることで、前記支持部材により、前記押込工具を前記第２ブランケット胴に支持させつつ、前記押込部材により、前記咥え尻側端部を前記ギャップ内に押し込み、前記固定ステップにおいて、前記押込工具により、前記咥え側端部と前記咥え尻側端部とを前記ギャップ内に押し込んだ状態を保持することを特徴としている。
【００１９】
（１２）前記卷回ステップにおいて、前記メタルバックブランケットを、押さえ工具により前記第１ブランケット胴に押さえ付けると共に、前記押さえ工具により押さえ付ける位置よりも前記咥え尻側端部側で、固定支持具により前記メタルバックブランケットを支持させることが好ましい。
【００２０】
（１３）版胴を配置されず圧胴として機能する圧胴用ブランケット胴が、前記第１ブランケット胴に圧接され、前記固定ステップにおいて、前記第１ブランケット胴の回転を規制することが好ましい。
【００２１】
（１４）前記第１ブランケット胴には、前記メタルバックブランケットが卷回される領域よりも軸方向外方に孔部が穿設され、前記第１ブランケット胴と、前記第１ブランケット胴に対向配置された版胴との相互間に安全バーが配置され、一端に載置部を備えると共に他端に棒状部材とを備えて構成された規制工具の前記載置部を構造体に載置させ、且つ、前記棒状部材の先端を前記孔部に挿入して、前記安全バーに当接させるように前記オフセット印刷機に取り付けることで、前記第１ブランケット胴の回転を規制することが好ましい。
【発明の効果】
【００２２】
本発明によれば、第１ブランケット胴と第２ブランケット胴の相互間に押込工具を配置した後、軸部材を廻して押込工具を伸長させることで、支持部材を第２ブランケット胴に押し込んで押込工具を第２ブランケット胴により支持させつつ、押込部材により、メタルバックブランケットの咥え尻側端部を、第１ブランケット胴のギャップ内に押し込み保持する。軸部材に入力された回転力が軸方向への推進力に変換されるので小さな力でも、咥え尻側端部をギャップ内に押し込み保持することが可能となり、従来よりも作業者の人数を減らすことができる。
また、軸部材を廻すだけの簡単な操作なので、作業環境が悪くても、容易に作業を行うことができ、作業者の負担を軽減することができる。
【図面の簡単な説明】
【００２３】
【図１】本発明の一実施形態に係る新聞用オフセット輪転印刷機の印刷部の構成を、ギャップ周辺の拡大図と共に示す模式図である。
【図２】本発明の一実施形態に係るメタルバックブランケットの構成を示す模式的な側面図である。
【図３】本発明の一実施形態に係る押さえ工具の構成を示す模式的な斜視図である。
【図４】本発明の一実施形態に係る押込工具の構成を示す模式図であって、（ａ）はその側面図、（ｂ）はその正面図，（ｃ）は可動部材の斜視図である。
【図５】本発明の一実施形態に係る規制工具を説明するための模式図であって、（ａ）は規制工具を印刷部と共に示す側面図、（ｂ）はブランケット胴の正面図である。
【図６】本発明の一実施形態に係るブランケット装着方法を説明するための印刷部の模式図であって、（ａ）は挿入ステップ及び巻回ステップを示す図、（ｂ）は押込ステップを示す図、（ｃ）は固定ステップを示す図である。
【発明を実施するための形態】
【００２４】
以下、図面を参照して、本発明の実施の形態について説明する。
本実施形態では、本発明のオフセット印刷機を新聞用オフセット輪転印刷機に適用した例を説明する。
なお、以下に示す実施形態はあくまでも例示に過ぎず、以下の実施形態で明示しない種々の変形や技術の適用を排除する意図はない。以下の実施形態の各構成は、それらの趣旨を逸脱しない範囲で種々変形して実施することができるとともに、必要に応じて取捨選択することができ、あるいは適宜組み合わせることが可能である。
【００２５】
［１．新聞用オフセット輪転印刷機の印刷部の構成］
印刷部は、新聞用オフセット輪転印刷機（以下、単に輪転印刷機という）のタワーユニットを構成するものであり、ウェブ（連続紙）１の走行方向上流側に一色目として黒を印刷する墨刷用の版胴２Ａ，ブランケット胴（第２ブランケット胴）３Ａ，版胴２Ｂ及びブランケット胴３Ｂが配置され、この下流に二色目としてスポット色を印刷するスポット刷用の版胴２Ｃ，ブランケット胴（第１ブランケット胴）３Ｃ及びブランケット胴（圧胴用ブランケット胴）３Ｄがある。なお、墨刷はウェブ１の両面に行なわれ、スポット刷はウェブ１の片面に行なわれるように構成されている。以下の説明では、版胴２Ａ，２Ｂ，２Ｃを特に区別しない場合には、版胴２と表記し、ブランケット胴３Ａ，３Ｂ，３Ｃ，３Ｄを区別しない場合には、ブランケット胴３と表記する。
【００２６】
各版胴２の周面にはそれぞれ刷版が卷回される。各ブランケット胴３の周面にはそれぞれメタルバックブランケット３１が卷回される。
メタルバックブランケット３１は、その両端の咥え側端部３１ｃと咥え尻側端部３１ｄとが各ブランケット胴３の周面に設けられたギャップ（溝）３２内に挿入されると共に、咥え尻側端部３１ｄがギャップ３２内のブランケット締め装置（図中には、そのトーションバーのみを示す）３３により締め付けられる。これにより、メタルバックブランケット３１がブランケット胴３へ装着される。
なお、便宜的に、図１では、版胴２Ａ〜２Ｃの刷版、並びに、ブランケット胴３Ａ，３Ｂ，３Ｄのギャップ３２及びメタルバックブランケット３１を省略すると共に、ブランケット胴３Ｃについてのみブランケット胴３Ｃの外周面とメタルバックブランケット３１との間に隙間を空けて示している。
【００２７】
各版胴２には図示しないインキング装置からインクが供給され、このインクが刷版に形成された印刷画像に応じてブランケット胴３Ａ，３Ｂ，３Ｃを介してウェブ１に転写される。ブランケット胴（圧胴用ブランケット胴）３Ｄには、対応する版胴が設けられておらず、ブランケット胴３Ｄは、ブランケット胴３Ｃによりスポット刷が行われる際にブランケット胴３Ｃに圧接する圧胴として機能する。
【００２８】
また、本実施形態では、各版胴２及び各ブランケット胴３はそれぞれ周長が新聞紙１頁分となる単胴により構成されており、これにより装置のコンパクト化及び装置の製作費の低減が図られている。
【００２９】
［２．メタルバックブランケットの構造］
メタルバックブランケット３１は、図２に示すように、メタル層３１ａと、メタル層３１ａに積層されたブランケット層３１ｂとを備えて構成されており、メタル層３１ａを内側に、ブランケット層３１ｂを外側にして、ブランケット胴３の外周面に巻き付けられる。また、メタルバックブランケット３１の長さ（図２における左右方向の寸法）は、単胴３Ｃの周長に合せて新聞紙１頁程度の長さとなっている。
ブランケット層３１ｂは、ゴム層又は布層などにより形成される。メタル層３１ａは例えばステンレスにより形成され、ブランケット層３１ｂよりも薄い。
ブランケット層３１ｂは、メタル層３１ａよりも短く、メタル層３１ａのブランケット層３１ｂよりも長手方向にはみ出した両端が、折り曲げられて、上記の咥え側端部３１ｃと咥え尻側端部３１ｄとして使用される。なお、以下のメタルバックブランケット３１に関する説明では、咥え側端部３１ｃ側を前側と表記し、咥え尻側端部３１ｄ側を後ろ側と表記する。
【００３０】
本実施形態のようにブランケット胴３に単胴を使う場合には、ギャップ３２が狭い空間となるため、メタルバックブランケット３１が好適である。つまり、メタルバックブランケット３１では、メタル層３ａにより形成される咥え側端部３１ｃ及び咥え尻側端部３１ｄの厚さが薄いため、単胴であるブランケット胴３の小さなギャップ３２内に挿入するのに適している。
【００３１】
［３．ブランケットの装着用工具の構造］
以下、後述するブランケット装着方法に使用する押さえ工具４，押込工具５及び規制工具６の構造について説明する。
【００３２】
先ず、押さえ工具４について説明する。押さえ工具４は、図６（ａ）を参照して後述するように、メタルバックブランケット３１を、ブランケット胴３の外周面に押さえ付けるための工具である。
押さえ工具４は、図３に示すように、ローラ４１と、ローラを回転可能に支持するローラ支持部４２とを備えて構成されている。
ローラ４１は、メタルバックブランケット３１に接触した時にメタルバックブランケット３１を傷付けてしまわないように樹脂製としている。
ローラ支持部４２は、横長のベースプレート４２ａと、ベースプレート４２ａの長手方向両端から垂設された一対の支持プレート４２ｂ，４２ｂとを備えて構成されており、支持プレート４２ｂ，４２ｂは、ローラ４１の両端を回転可能に支持している。
【００３３】
作業者は、ローラ支持部４２を手で把持して押さえ工具４を操作し、ローラ４１によりメタルバックブランケット３１をブランケット胴３へ押さえ付ける。
ローラ４１が容易に回転してしまうと、ローラ４１によりメタルバックブランケット３１をブランケット胴３へと押さえ付けようとしても、ローラ４１が回転してメタルバックブランケット３１に対して滑ってしまう。このため、メタルバックブランケット３１をブランケット胴３へと上手く押さえ付けることができない。したがって、ローラ４１の回転にブレーキを掛けるような機構を設けるのが好ましい。
なお、作業者が把持しやすいように、また、ローラ４１が遠くまで届くように、ローラ支持部４２の背面に把持部や腕部を設けてもよい。
【００３４】
次いで、押込工具５について説明する。押込工具５は、図６（ｂ），（ｃ）を参照して後述するように、咥え尻側端部３１ｄをギャップ３２内に押し込むと共にその状態を保持するための工具である。
押込工具５は、図４（ａ），（ｂ）に示すように、図示する姿勢において上下対称に構成されており、一対の可動部材（第１可動部材、押込部材）５１Ａ及び可動部材（第２可動部材、支持部材）５１Ｂと、これらの可動部材５１Ａ，５１Ｂを繋ぐ軸部材５２とを備えて構成されている。以下、可動部材５１Ａ，５１Ｂを特に区別しない場合には、可動部材５１と表記する。
【００３５】
可動部材５１は、メタルバックブランケット３１の咥え側端部３１ｃや咥え尻側端部３１ｄと接触した際にメタルバックブランケット３１を傷付けてしまわないように樹脂により形成されている。
【００３６】
可動部材５１は、互いに反対を向く外側面（換言すれば軸部材５２が取り付けられる面とは反対側の面であって、押込工具５の使用時にブランケット胴３の外周面に向かう面）に凹所５１ａが形成されている。この凹所５１ａは、図４（ａ）の側面図では円弧形状として表されるような切欠きが幅方向（図４（ａ）においては紙面に垂直となる方向）に連続して形成されたものであり、ブランケット胴３の外周面と同じ曲率の曲面となっている。つまり、直方体のブロック体から、ブランケット胴３の外周面と同じ曲率の円弧柱を水平に切り取ったような形状をしている。
【００３７】
また、可動部材５１Ａの内側面（軸部材５２に向かう面）には筒状接続部５１ｂが備えられると共に、可動部材５１Ｂの内側面には筒状接続部５１ｃが備えられている。各筒状接続部５１ｂ，５１ｃの内側にはそれぞれネジ部５１ｂａ，ネジ部５１ｃａが形成されている。ネジ部５１ｂａには正ネジの雌ネジが形成されており、ネジ部５１ｃａには逆ネジの雌ネジが形成されている。
【００３８】
軸部材５２の軸方向中央には、作業者が把持しやすい太さ且つ軸部材５２を軸心周りに回動操作しやすいように横断面が多角形（ここでは六角形）の鉄製のハンドル（把持部）５２ａが軸部材５２と同心上に設けられている。また、軸部材５２は、その軸方向両端が可動部材５１Ａ，５１Ｂの筒状接続部５１ｂ，５１ｃに挿入され螺合されるようになっている。このため、軸部材５２には、ハンドル５２ａよりも可動部材５１Ａ側であって、筒状接続部５１ｂのネジ部５１ｂａ（正ネジの雌ネジ）に螺合される領域に、正ネジの雄ネジが形成されたネジ部５２ｂが形成されると共に、ハンドル５２ａよりも可動部材５１Ｂ側であって、筒状接続部５１ｃのネジ部５１ｃａ（逆ネジの雌ネジ）に螺合される領域には、逆ネジの雄ネジが形成されたネジ部５２ｃが設けられている。
【００３９】
また、ネジ部５１ｂａ，５１ｃａ，５２ｂ，５２ｃに形成されるネジは何れも台形ネジである。
【００４０】
押込工具５はこのように構成されているので、作業者がハンドル５２ａを介して押込工具５に入力した回転力を、ネジ部５１ｂａ，５１ｃａ，５２ｂ，５２ｃを介して可動部材５１Ａ，５１Ｂを軸方向へ進退させる推進力に変換することができる。
具体的には、作業者が、ハンドル５２ａを把持して軸部材５２を矢印Ａ１で示す方向（可動部材５１Ａに対しては反時計回り）に回転すると、可動部材５１Ａ，５１Ｂは、例えば図４（ａ）において二点鎖線で示す位置から実線で示す位置まで軸部材５２上を外側に送り出され（押込工具５が伸長し）、逆に軸部材５２を矢印Ａ２で示す方向（可動部材５１Ａに対しては時計回り）に回動すると、可動部材５１Ａ，５１Ｂは、例えば図２（ａ）において実線で示す位置から二点鎖線で示す位置まで軸部材５２上を内側に引き込まれる（押込工具５が縮退する）。
【００４１】
また、ネジ部５１ｂａ，５１ｃａ，５２ｂ，５２ｃに形成された台形ネジは、回転運動を直線運動に変換するのに適しており、ハンドル５２ａ（軸部材５２）の一回転当たりの押込工具５のストローク量（伸縮量）を大きくして、少ない操作量（回転量）で咥え尻側端部３１ｄを押し込むことができる。これにより作業者の負担を軽減できるようになっている。
【００４２】
次いで、規制工具６について説明する。規制工具６は、図６（ｃ）を参照して後述するように、ウェブ１０の片面印刷に使用されるブランケット胴３（本実施形態ではブランケット胴３Ｃ）に対して、ギャップ３２内に押し込んだ咥え尻側端部３１ｄをブランケット締め装置３３により締めこむ際に、ブランケット胴３を回転しないように規制するための工具である。
【００４３】
以下、図５（ａ），（ｂ）を参照して規制工具６について説明する。
ブランケット胴３Ｃは片面印刷用である。このため、上述した通り、ウェブ１のパスラインＰＬを挟んで対向して配置されるブランケット胴（圧胴用ブランケット胴）３Ｄは印刷を行わず、ブランケット胴３Ｃに圧接される圧胴として機能する。したがって、ブランケット胴３Ｄに対して版胴及び版胴にインキを供給するインキング装置が、ブランケット胴３Ｄには設けられていない。ブランケット胴３Ｂのように版胴２Ｂやインキング装置（図示略）が設けられているものでは、版胴２Ｂやインキング装置が、直接的又は間接的にブランケット胴３Ｂの回転抵抗となるのに対し、ブランケット胴３Ｄでは、版胴及びインキング装置が設けられていないため、ブランケット胴３Ｂに較べ回転抵抗が少ない。
【００４４】
ブランケット胴３Ｃにメタルバックブランケット３１を装着する際には、装着作業を行い易いようにブランケット胴３Ｃから版胴２Ｃを離隔させるため、ブランケット胴３Ｃの主な回転負荷は、ブランケット胴３Ｃに圧接されるブランケット胴３Ｄとなる。しかし、上述のとおりブランケット胴３Ｄによる回転抵抗は少ないため、ブランケット胴３Ｃは、両面印刷を行うブランケット胴３Ａ，３Ｂに較べて装着作業中に回転しやすく、作業者がブランケット締め装置３３を操作して咥え尻側端部３１ｄを締めこむ際に回転するおそれがある。
このため、ブランケット胴３Ｃにメタルバックブランケット３１を装着する際には、規制工具６を使用してブランケット胴３Ｃの回転を規制するようにしている。
【００４５】
規制工具６は、図５（ａ）に示すように、棒状部材６１と、アングル材６２とを備えて構成されており、棒状部材６１は、斜めの姿勢で、その基端部を例えば溶接によりアングル材６２に固定されている。
図５（ｂ）に示すように、ブランケット胴３Ｃには、メタルバックブランケット３１が卷回される箇所よりも外方（ブランケット胴３Ｃの軸方向中心線ＣＬから離隔する側）すなわち端部寄りに孔部３４が穿設されている。上記の棒状部材６１の先端部６１ａは、図５（ａ）に示すように、この孔部３４に挿入される。先端部６１ａは、棒状部材６１の基部（棒状部材６１から先端部６１ａを除いた部分）に対して角度を付けられている。
【００４６】
アングル材６２は、ブランケット胴３Ｃよりも下方に配置された装置フレーム１００に載置される。アングル材６２にはジャッキアップボルト６３が螺合されており、ジャッキアップボルト６３のねじ込み量を調整することで、ジャッキアップボルト６３のアングル材６２より下方に突出する量、ひいては棒状部材６１の高さ位置を調整できるようになっている。
図５（ａ），（ｂ）に示すように、ブランケット胴３Ｃと版胴２Ｃとの間には、作業中に誤って作業者が手を挟まないように安全バー３５が設けられている。規制工具６の棒状部材６１が、この安全バー３５の下端面（装置フレーム１００寄りの面）に当接するように（又は安全バー３５の下端面の下に微小隙間をあけて位置するように）、ジャッキアップボルト６３により棒状部材６１の高さが初期調整されている。
【００４７】
このような規制工具６の構成及び配置により、図５（ａ）において、ブランケット胴３Ｃに矢印Ｄ１で示すような方向に力が作用した場合には、この力は、規制工具６のアングル材６２を矢印Ｃ１で示す方向に変位させるように作用するが、装置フレーム１００によって規制される。逆にブランケット胴３Ｃに矢印Ｄ２で示すような方向に力が作用した場合には、この力は、規制工具６の棒状部材６１を矢印Ｃ２で示す方向に変位させるように作用するが、安全バー３５によって規制される。なお、上述したように先端部６１ａは棒状部材６１の基部に対して角度を付けられているが、この角度は、上記の矢印Ｄ２で示すような力が作用した時に、先端部６１ａが安全バー３５に強く当たるような角度（換言すれば安全バー３５により確実に変位が規制されるような角度）に設定されている。
【００４８】
なお、ブランケット胴３Ｄについてもメタルバックブランケット３１の交換が行われるが、この際には、ブランケット胴３Ｃに加え版胴２Ｃや図示しないインキング装置が回転負荷となるので、規制工具６を使用して回転を規制する必要はない。
【００４９】
［４．ブランケット装着方法］
本発明の一実施形態としてのブランケット装着方法を、ブランケット胴３Ｃへのメタルバックブランケット３１の装着を例に取って図６（ａ）〜（ｃ）を参照して説明する。なお、図６（ａ）〜（ｃ）では、ブランケット胴のギャップを簡略化して示すと共にブランケット締め装置３３を省略している。
【００５０】
本実施形態のブランケット装着方法では、先ず、図６（ａ）に示すように挿入ステップと卷回ステップとがこの順に行われる。
挿入ステップでは、作業者が、自らの手によって、メタルバックブランケット３１の咥え側端部３１ｃを、ブランケット胴３Ｃのギャップ３２内へと挿入する。
その後、咥え側端部３１ｃがギャップ３２から外れてしまわないように、作業者は、押さえ工具４のローラ４１により、メタルバックブランケット３１の咥え側端部３１ｃの近傍をブランケット胴３Ｃに押さえ付ける。同時に、メタルバックブランケット３１の後ろ側（咥え尻側端部３１ｄ側）が垂れ下がってしまわないように、メタルバックブランケット３１の後ろ側を、ギャップ３２内に挿入された咥え側端部３１ｃと略同じ位置で固定支持具７により下方から支持する。これにより図６（ａ）に示す状態となる。
【００５１】
固定支持具７は、樹脂製の円筒であり、軸心方向をメタルバックブランケット３１の幅方向に一致させた水平姿勢でワイヤ６ａにより吊られている。ワイヤ６ａは、装置フレームや輪転印刷機が設置される建屋の一部（何れも図示略）等に固定されている。固定支持具７を、装置フレームや建屋の一部に直接支持させてもよい。つまり、本発明における固定支持具とは、直接的又は間接的に構造体に固定されて、メタルバックブランケット３１を支持可能なものを意味する。
本実施形態の固定支持具７は、ブランケット装着作業時にテンポラリーで設置されるものである。
【００５２】
なお、挿入ステップにおいて押さえ工具４や固定支持具７を使用しても良い。具体的には、押さえ工具４のローラ４１により咥え側端部３１ｃをギャップ３２内へ押し込んでも良いし、咥え側端部３１ｃをギャップ３２内へと挿入する前に、予め、メタルバックブランケット３１の後ろ側を、固定支持具７により下方から支持するようにしても良い。
【００５３】
卷回ステップでは、図６（ａ）に示す状態から、作業者が、押さえ工具４のローラ４１によりメタルバックブランケット３１をしごきながら（メタルバックブランケット３１に張力を与えつつこのメタルバックブランケット３１をブランケット胴３Ｃの外周面へと押さえ付けながら）ブランケット胴３Ｃを矢印Ｄ１で示す方向に略一回転させる。
ローラ４１が、メタルバックブランケット３１をブランケット胴３Ｃの外周面へと押さえ付けているが、ローラ４１の回転及びローラ４１に対する滑りにより、メタルバックブランケット３１の後ろ側がローラ４１とブランケット胴３Ｃとの間を通過可能となっている。したがって、ローラ４１を図６（ａ）に示す位置に配置したままブランケット胴３Ｃを上述のように略一回転させることにより、図６（ｂ）に示すように、メタルバックブランケット３１がブランケット胴３Ｃの外周面の略全周に巻きついて、咥え尻側端部３１ｄがギャップ３２内の入口近傍に位置する状態となる。
【００５４】
なお、図６（ｂ）では便宜的にブランケット胴３Ｃの外周面とメタルバックブランケット３１との間に隙間をあけて示しているが、押さえ工具４のローラ４１によりしごきながらメタルバックブランケット３１をブランケット胴３Ｃの外周面に巻きつけることで、メタルバックブランケット３１をブランケット胴３Ｃに密着して巻きつけることができる。
【００５５】
また、押さえ工具４（ローラ４１）によりメタルバックブランケット３１をブランケット胴３Ｃの外周面に押さえ付けた際に、押さえ工具４に押されてブランケット胴３Ｃが回転してしまうとメタルバックブランケット３１に十分な張力が発生しなくなってしまう。このため、ブランケット胴３Ｃのある程度の制動力（例えばブランケット胴３Ｃを駆動するモータによる制動力）を掛けることが好ましい。
【００５６】
次いで、図６（ｂ）に示すように押込工具５を使用して押込ステップが行われる。押込ステップでは、縮退状態の押込工具５を、ブランケット胴３Ａの外周面に隙間を空けた状態でブランケット胴３Ａ，３Ｃの相互間に配置する。この際、本実施形態では、押込工具５の可動部材５１Ｂを下方のブランケット胴３Ａに載置して（可動部材５１Ｂの凹所５１ａに、対面するブランケット胴３Ａの部位が入り込むようにして）、作業者が操作しやすい状態としている。
そして、図６（ｂ）に示す状態から、図６（ｃ）に示すように、可動部材５１Ａの凹所５１ａに、対面するブランケット胴３Ｃの部位が入り込むように、作業者がハンドル５２ａを回動して押込工具５を伸長させることで、可動部材５１Ａにより、反り返りに抗して咥え尻側端部３１ｄをギャップ３２内に押し込むことができる（図６（ｃ）では、便宜的に、可動部材５１Ａ，咥え側端部３１ｃ，咥え尻側端部３１ｄ及びブランケット胴３Ｃの外周面の各相互間に隙間を空けて示している）。
なお、押込工具５を伸長させる際には、メタルバックブランケット３１を押圧するまでは、可動部材５１Ａがハンドル５２ａ（は軸部材５２）と供回りしないように、作業者は可動部材５１Ａを押えながらハンドル５２ａを回動させる。
また、この押込ステップでは、押込工具５を使用した作業の邪魔にならない位置において、押さえ工具４によりメタルバックブランケット３１をブランケット胴３Ｃに押さえつけてもよい。
【００５７】
次いで、図６（ｃ）に示すように押込工具５及び規制工具６を使用して固定ステップが行われる。
固定ステップでは、押込工具５により咥え側端部３１ｃ及び咥え尻側端部３１ｄを共にギャップ３２内に押し込んだ状態を保持する。さらに規制工具６の棒状部材６１の先端６１ａを安全バー３５の下縁に当接させつつブランケット胴３Ｃの孔部３４に挿入させた状態として、ブランケット胴３Ｃが回転しないように規制する。
この状態で、咥え側端部３１ｃをギャップ３２内に係止させつつ、ブランケット締め装置３３（図１参照）により咥え尻側端部３１ｄを締め付けることで、ブランケット胴３Ｃへのメタルバックブランケット３１の装着が完了する。
【００５８】
なお、メタルバックブランケット３１を装着するブランケット胴３が、ブランケット胴３Ａ，３Ｂ，３Ｄの場合には、規制工具６により回転を規制することは不要である。つまり、ブランケット胴３Ａでは、対向するブランケット胴３Ｂに版胴２Ｂやインキング装置が設けられているので、ブランケット胴３Ｂに加えこれらの版胴２Ｂやインキング装置が、ブランケット胴３Ａの回転抵抗となり、規制工具６を使用しなくともブランケット胴３Ｂが大きく回転することはない。ブランケット胴３Ｂ，３Ｄについても同様である。
【００５９】
［５．作用・効果］
本発明の一実施形態のオフセット印刷機の押込工具及びオフセット印刷機のブランケット装着方法によれば、以下の作用・効果が得られる。
【００６０】
巻回ステップでは、メタルバックブランケット３１の咥え尻側端部３１ｄ側を、固定支持具７により支持させながら行うことができるので、重量のあるメタルバックブランケット３１の咥え尻側端部３１ｄ側を支持する作業者が不要となり、メタルバックブランケット３１の装着に必要な作業者の人数を減らすことができる。
【００６１】
ブランケット胴３の周辺は、設備が密集しているため作業に使用できる空間が狭い上に、視認性の確保が困難である。このため、咥え尻側端部３１ｄが垂れ下がって視認性がさらに低下してしまうと、ブランケットのハンドリングを正確に行うのが困難となる。しかし、咥え尻側端部３１ｄを固定支持具７により支持させて、咥え尻側端部３１ｄの垂れ下がりを防止しているので、ブランケットのハンドリングを丁寧に行うことができる。
【００６２】
加えて、巻回ステップでは、メタルバックブランケット３１をブランケット胴３に押さえ付ける作業を、押さえ工具４を使用して行なうので、従来のように作業者が手によって同作業を行うのに較べて作業者の負担を軽減することが可能となる。
【００６３】
さらに、押込ステップにおいて、ブランケット胴３Ａ，３Ｃの相互間に押込工具５を配置した後、ハンドル５２ａを回転させて押込工具５を伸長させることで、（１）可動部材（支持部材）５１Ｂをブランケット胴３Ａに押し込んで押込工具５をブランケット胴３Ａにより支持させつつ、可動部材（押込部材）５１Ａにより、ブランケット胴３Ａの咥え尻側端部３１ｄをギャップ３２内に押し込むことができると共に、（２）固定ステップにおいて、咥え側端部３１ｃ及び咥え尻側端部３１ｄとをギャップ内に保持することができる。
つまり、押込工具５を使用して小さな力で咥え尻側端部３１ｄをギャップ３２内にジャッキアップできるので、押込作業を容易に行うことが可能となり、ブランケット胴の幅方向に複数配置していた作業者の人数を従来よりも減らすことができる。また、作業者の負担を軽減することができる。
【００６４】
この際、押込工具５が受ける反力を、押込工具５の可動部材５１Ｂが載置されるブランケット胴３Ａに負担させることができるので、咥え側端部３１ｃ及び咥え尻側端部３１ｄをギャップ３２内に押し込み保持するための力を実質的に軽減できる。
また、ハンドル５２を廻すだけの簡単な操作なので、作業に使用できる空間が狭く、視認性の確保が困難な環境下でも、容易に作業を行うことができる。
【００６５】
さらに、可動部材５１Ａの外側面（咥え側端部３１ｃ及び咥え尻側端部３１ｄをブランケット胴３へ押さえ付ける面）には、ブランケット胴３Ｃの外周面と同一の曲率を有する凹所５１ａが形成されているので、メタルバックブランケット３１の咥え側端部３１ｃ及び咥え尻側端部３１ｄの周辺部分をブランケット胴３Ｃの外周面に密着させることができる（メタルバックブランケット３１がブランケット胴３Ｃの外周面から浮き上がってしまうことを防止できる）。
【００６６】
ブランケット胴３Ａに載置される可動部材５１Ｂの外側面には、ブランケット胴３Ａの外周面と同一の曲率を有する凹所５１ａが形成されているので、押込工具５によりメタルバックブランケット３１の咥え尻側端部３１ｄをギャップ３２内に押し込む際に、押込工具５がブランケット胴３Ａの外周面に密着する。したがって、押込工具５がブランケット胴３Ａにより安定して支持された状態で押込工具５を使用して作業を行える。
さらに、軸部材５２にハンドル５２を設けているので、作業者がハンドル５２を把持して軸部材５２を操作しやすい。
【００６７】
さらに、可動部材５１Ａ，５１Ｂが樹脂により形成されているので、比較的軟質な材料により構成されることととなり、メタルバックブランケット３１と接触した時にこのメタルバックブランケット３１を損傷させてしまうことを防止できる。
【００６８】
また、可動部材５１Ａ，５１Ｂを送り出すために軸部材５２に設けられたネジ部５２ｂ，５２ｃが台形ネジにより構成されているので、軸部材５２の単位回転量当たりの押込工具５の伸縮量が大きくなる。少ない操作量で可動部材５１Ａ，５１Ｂを大きく変位させることができるので、押込工具５を使用した際の作業効率が向上する。
【００６９】
さらに、メタルバックブランケット３１を装着するブランケット胴３が、ブランケット胴３Ｃのような場合、つまり圧接するブランケット胴３Ｄに版胴やインキング装置が設けられていないため回転抵抗が少なく回転しやすい場合には、規制工具６により、ブランケット胴３の回転を規制するようにしたので、作業者がブランケット締め装置３３を操作する際にブランケット胴３が回転して、この操作に支障が生じることを防止できる。
【００７０】
上記実施形態では、可動部材５１Ａにより、メタルバックブランケット３１の咥え側端部３１ｃ及び咥え尻側端部３１ｄを、ブランケット胴３Ｃのギャップ３２内に押し込み、可動部材５１Ｂにより押込工具５をブランケット胴３Ａに支持させたが、可動部材５１Ｂは可動部材５１Ａと同様に構成されているので、上下逆さにして、可動部材５１Ｂにより、咥え側端部３１ｃ及び咥え尻側端部３１ｄをギャップ３２内に押し込み、可動部材５１Ａにより押込工具５をブランケット胴３Ａに支持させることもできる。
したがって、押込工具５の向きを気にせず使用することができる。また、可動部材５１Ａ，５１Ｂを製作上は同一部品とすることができるので、押込工具５の製造工程の簡素化及び製造コストの低減を図ることができる。
【００７１】
［６．その他］
（１）上記実施形態では、押込工具５の可動部材５１Ａ，５１Ｂの凹所５１ａの曲率をブランケット胴３Ａ，３Ｃの外周面の曲率に一致させたが、この構成に限定されない。つまり、押込工具５を伸長した際に、可動部材５１Ａ，５１Ｂにより、咥え側端部３１ｃ及び咥え尻側端部３１ｄをギャップ３２内に押し込むことができるのであれば、可動部材５１Ａ，５１Ｂの形状は何ら限定されない。
例えば、凹所５１ａの曲率を、ブランケット胴３Ａ，３Ｃの外周面の曲率以下としてもよい。凹所５１ａの曲率が、ブランケット胴３Ａ，３Ｃの外周面の曲率以下である分には、凹所５１ａの底部によりメタルバックブランケット３１ブランケット胴３Ｃに押圧することができ、また、凹所５１ａの底部がブランケット胴３Ａに載置されて押込工具５がブランケット胴３Ａにより安定して支持される。
また、押込工具５の可動部材５１Ａ，５１Ｂを、凹所５１ａを設けずに平らな形状としてもよい。このように構成する場合は、可動部材５１Ａ，５１Ｂの外側面を構成する材料は、メタルバックブランケット３１を介してブランケット胴３Ａ，３Ｃを押圧した際に、ブランケット胴３Ａ，３Ｃの外周面にあわせて変形するような材料が好ましい。
さらには、可動部材５１Ａ，５１Ｂをロール形状としてもよいし、可動部材５１Ａ，５１Ｂの外周面のブランケット胴３Ａ，３Ｃに対面する部位をブランケット胴３Ａ，３Ｃに向かって凸となる円弧面としてもよい。
【００７２】
（２）上記実施形態では、押さえ工具４，押込工具５の可動部材５１及び固定支持具７を、メタルバックブランケット３１を傷付けてしまわないようにそれぞれ樹脂製としたが、これに限定されない。例えば、押さえ工具４，可動部材５１及び固定支持具７を、金属などの基材の表面に樹脂をコーティングして構成してもよい。
【００７３】
（３）上記実施形態では、押さえ工具４は、ローラ４１によりメタルバックブランケット３１をブランケット胴３に押さえ付ける構成であったが、ローラ４１に代えてプレートを使用し、このプレートの平面によりメタルバックブランケット３１をブランケット胴３に押さえ付ける構成としてもよい。この場合、メタルバックブランケット３１を傷付けてしまわないように、プレートの材料には、樹脂材を用いてもよいし、ゴムなどの弾性体を用いても良い。又は、基材の表面に、樹脂又はゴム（弾性体）をコーティングしたもの、短い繊維を植設したもの、あるは布を張り付けたものでもよい。
【００７４】
（４）上記実施形態では、メタルバックブランケット３１の後ろ側を支持する固定支持具７を円筒形状の部材により構成したがトレーにより構成してもよい。つまり、メタルバックブランケット３１を下から支持する底壁と、この底壁の両側縁からそれぞれ起立した側壁とから構成してもよい。
【００７５】
（５）上記実施形態では、ブランケット胴３Ｃの回転を、規制工具６を使用して規制したが、ブランケット胴３Ｃを駆動するモータの制動機能（サーボロック機能）を使用してブランケット胴３Ｃの回転を規制しても良い。
【００７６】
（６）上記実施形態では、卷回ステップにおけるメタルバックブランケット３１の押さえを、押さえ工具４を使用して行ったが、この構成に限定されない。例えば、安全バー３５（図５（ａ）参照）をブランケット胴３Ｃに対して離接可能に構成し、卷回ステップにおいて、安全バー３５をブランケット胴３Ｃ側に移動させることで、安全バー３５によりメタルバックブランケット３１をブランケット胴３Ｃに押さえ付けるようにしてもよい。
【００７７】
（７）上記実施形態では、固定支持具７をテンポラリーとしたが、固定支持具７を常設としてもよい。この場合、印刷機の通常運用に支障のない退避位置と、メタルバックブランケット３１の支持に適した使用位置との何れか一方の位置に選択的に移動させる機構を設けてもよい。
【００７８】
（８）上記実施形態では、可動部材５１Ｂを可動部材５１Ａと同様に構成したが、可動部材５１Ｂを、可動部材５１Ａとは構成を変えて、ブランケット胴３Ａに載置するのに特化した構成としても良い。
例えば、可動部材５１Ｂを、ブランケット胴３Ａの周面にフィットしやすいように、可動部材５１Ａよりも軟質の材料により形成してもよい。
又は、可動部材５１Ｂを、可動部材５１Ａよりも大きなサイズにすることで、ブランケット胴３Ａとの接触の面積を大きくしてブランケット胴３Ａの周面に安定して載置されるようにしてもよい。
【００７９】
（９）上記実施形態では、本発明のオフセット印刷機の押込工具及びオフセット印刷機のブランケット装着方法を、新聞用オフセット輪転印刷機に適用したが、新聞用に限定されるものではない。
【符号の説明】
【００８０】
１  ウェブ（連続紙）
２Ａ，２Ｂ，２Ｃ  版胴
３Ａ  ブランケット胴（第２ブランケット胴）
３Ｂ  ブランケット胴
３Ｃ  ブランケット胴（第１ブランケット胴）
３Ｄ  ブランケット胴（圧胴用ブランケット胴）
４  押さえ工具
５  押込工具
６  規制工具
７  固定支持具
３１  メタルバックブランケット
３１ａ  メタルバックブランケット３１のメタル層
３１ｂ  メタルバックブランケット３１のブランケット層
３１ｃ  メタルバックブランケット３１の咥え側端部
３１ｄ  メタルバックブランケット３１の咥え尻側端部
３２  ブランケット胴３Ａ〜３Ｄのギャップ
３３  ブランケット締め装置
３４  ブランケット胴３Ｃの孔部
３５  安全バー
５１Ａ  押込工具５の可動部材（第１可動部材、押込部材）
５１Ｂ  押込工具５の可動部材（第２可動部材、支持部材）
５１ａ  可動部材５１Ａ，５１Ｂの凹所
５１ｂａ，５１ｃａ  筒状接続部５１ｂ，５１ｃのネジ部
５２  押込工具５の軸部材
５２ａ  軸部材５２のハンドル（把持部）
５２ｂ，５２ｃ  軸部材５２のネジ部
１００  装置フレーム
Ａ１，Ａ２  回動方向
Ｄ１，Ｄ２  ブランケット胴の回転方向
Ｃ１，Ｃ２  規制工具に作用する力の方向
ＣＬ  ブランケット胴３Ｃの軸方向中心線
ＰＬ  ウェブ１の搬送経路
【図１】
0006483003.tif 000002
【図２】
0006483003.tif 000003
【図３】
0006483003.tif 000004
【図４】
0006483003.tif 000005
【図５】
0006483003.tif 000006
【図６】
0006483003.tif 000007